(57)【要約】      （修正有）【課題】流体試料の損失回避が可能で、より多くの試料を処理できる管状のプランジャアセンブリの提供。【解決手段】プランジャアセンブリは、プランジャ１８と、キャップ底部５７を有するキャップ５０と、フィルタ７０とを備え、プランジャ１８は内側環状面および外側環状面を備えた下端を有し、内側環状面は凹部への開口を取り囲み画定し、開口はプランジャ１８の流体保持キャビティ３０に流体連通し、キャップ底部５７からは内側壁５４及び外側壁５２が延出し、キャップ５０はプランジャ１８の下端を覆うように嵌合し、外側壁５２は、プランジャ１８の下端の外面を覆うように嵌合し、内側壁５４および外側壁５２の間に、外側環状面を受け入れ、内側壁５４はプランジャ凹部の側壁に当接する外面を有し、内側壁５４の内面は整形キャビティを画定し、フィルタ７０は内側壁５４の上端および内側環状面の間に配置されるプランジャアセンブリ。【選択図】図５Ａ
2018047457.tif 000002
【特許請求の範囲】
【請求項１】
流体を濾過する管状のプランジャアセンブリであって、
管状のプランジャであって、該プランジャは、少なくとも１個の開放された底部を有し、前記プランジャ内には、流体保持キャビティが設けられ、前記プランジャは、内側環状面および外側環状面を備えた下端を有し、前記内側環状面および前記外側環状面は、前記プランジャの長手軸線を取り囲むとともに、長手軸線に対して直交し、前記プランジャの下端にプランジャ凹部を画定するように、長手軸線を取り囲むとともに、長手軸線に対向する凹部側壁によって長手軸線に沿って所定距離だけ離間し、前記内側環状面は、前記凹部への開口を取り囲み画定し、前記開口は、前記プランジャの流体保持キャビティに流体連通する前記プランジャと、
環状のキャップ底部を有する環状のキャップであって、該環状のキャップ底部から内側壁および外側壁が延出し、前記キャップは、前記プランジャの下端を覆うように嵌合し、前記外側壁は、前記プランジャの下端の外面を覆うように嵌合し、前記内側壁および前記外側壁は、前記内側壁および前記外側壁の間に、前記外側環状面を受け入れ、前記内側壁は、前記プランジャ凹部の側壁に当接する外面を有し、前記内側壁の内面は、前記開口と前記凹部とを流体連通させる整形キャビティを画定し、前記内側壁は上端を有する前記キャップと、
前記内側壁の上端および前記内側環状面の間に配置されるフィルタとを備えるプランジャアセンブリ。
【請求項２】
前記環状のキャップの外側壁の外面の一部は、前記プランジャアセンブリの使用の間に、前記キャップがフィルタバイアルに挿入された時に、前記環状のキャップの底部或いは該底部の近傍で、前記フィルタバイアルに接触して液密シールをもたらす第１シール面を形成するために十分な距離だけ外方に延出する請求項１に記載の管状のプランジャアセンブリ。
【請求項３】
前記第１シール面は、前記プランジャの端部のフランジによって、前記キャップの側壁の一部を外方へ押すように形成される請求項２に記載の管状のプランジャアセンブリ。
【請求項４】
前記フィルタおよび第１環状面の間に配置されるフリット又は支持体を更に含む請求項２に記載の管状のプランジャアセンブリ。
【請求項５】
前記長手軸線に沿って対向し、かつ長手軸線を取り囲むと共に、第１環状面および第２環状面の少なくとも一方に形成されるシール面を更に含む請求項２に記載の管状のプランジャアセンブリ。
【請求項６】
前記凹部側壁は凸状湾曲形状を有し、前記キャップの内側壁の外面は、結合凹形状を有する請求項２に記載の管状のプランジャアセンブリ。
【請求項７】
前記整形キャビティは切頭円錐形状である請求項２に記載の管状のプランジャアセンブリ。
【請求項８】
前記管状のプランジャは、第２環状面の位置において厚みがより大きい側壁を有する請求項２に記載の管状のプランジャアセンブリ。
【請求項９】
前記プランジャの上端において液密シールを解放可能に形成するように構成される取り外し可能なクロージャを更に含む請求項２に記載の管状のプランジャアセンブリ。
【請求項１０】
前記プランジャは、前記長手軸線に対して直交し、連続湾曲の一つであり、或いは少なくとも３つの側面を備えた断面を有する請求項２に記載の管状のプランジャアセンブリ。
【請求項１１】
突起は、前記長手軸線に対して直交し、連続湾曲の一つであり、或いは少なくとも３つの側面を備えた断面を有する請求項２に記載の管状のプランジャアセンブリ。
【請求項１２】
請求項２に記載のプランジャアセンブリと、
開放された上部および閉鎖された底部を有するフィルタバイアルであって、前記底部の中心に突起を備え、該突起は、長手軸線に沿って測定される前記環状のキャップの内側壁の高さと同じ距離だけ上部へ向けて延出し、前記突起は前記キャップにおいて、前記整形キャビティの形状に適合し、前記第１シール面との間に液密シールを形成するように、前記プランジャの底部において、前記キャップの外側壁の少なくとも一部の外径より小さい内径を有する前記フィルタバイアルとを備えるフィルタバイアルキット。
【請求項１３】
前記フィルタバイアルは取り外し可能なキャップを有し、３０マイクロリットル未満の容積を有する請求項１２に記載のフィルタバイアルキット。
【請求項１４】
前記バイアルの内側底部および突起は、前記キャップの底部および整形凹部の外形に適合するように構成される請求項１２に記載のフィルタバイアルキット。
【請求項１５】
前記フィルタバイアルの底部は、内部に形成される浅いチャネルを有し、該チャネルは前記突起の表面の浅いチャネルに流体連通し、該チャネルは、使用時に、流体を前記突起の上部へ移動させるように配向される請求項１４に記載のフィルタバイアルキット。
【請求項１６】
前記プランジャは、前記長手軸線に対して直交する断面において、連続した曲線からなり、或いは少なくとも３つの側面を備える請求項１２に記載の管状のプランジャアセンブリ。
【請求項１７】
前記突起は、前記長手軸線に対して直交する断面において、連続した曲線からなり、或いは少なくとも３つの側面を備える請求項１２に記載の管状のプランジャアセンブリ。
【請求項１８】
前記バイアル、プランジャ、および環状のキャップは円柱状の側壁を有する請求項１５に記載のフィルタバイアルキット。
【請求項１９】
前記バイアルの底部は、前記突起の表面の浅いチャネルに流体連通する浅いチャネルを有することにより、前記環状のキャップが前記バイアルの底部およびその突起と滑り嵌めされた時に、流体は前記チャネルを通り前記フィルタへ向けて押される請求項１８に記載のフィルタバイアルキット。
【請求項２０】
前記キャップの内側壁は、前記フィルタを所定位置に保持するために、前記プランジャの一部に接触するように前記フィルタを押す請求項１８に記載のフィルタバイアルキット。
【請求項２１】
前記整形キャビティは切頭円錐形状であり、前記突起は適合する切頭円錐形状を有し、流体を前記突起の上部へ移動させるために、前記突起の表面に浅いチャネルを備える請求項１８に記載のフィルタバイアルキット。
【請求項２２】
前記プランジャおよびバイアルは、前記長手軸線に対して直交する断面を有し、該断面は連続した曲線からなり、或いは少なくとも３つの側面を備える請求項１８に記載のフィルタバイアルキット。
【請求項２３】
前記突起は、前記長手軸線に対して直交する断面を有し、該断面は連続した曲線からなり、或いは少なくとも３つの側面を備える請求項１８に記載の管状のプランジャアセンブリ。
【発明の詳細な説明】
【技術分野】
【０００１】
本発明は、管状のプランジャアセンブリ及びフィルタバイアルキットに関する。
【背景技術】
【０００２】
フィルタバイアルは、下端にフィルタを備えた管状プランジャを有する。プランジャは、流体および流体中を浮遊する物質を収容する結合バイアル内に嵌合する。プランジャがバイアルに挿入される時に、プランジャの下端のフィルタを通過するには大きすぎる粒子または分子から流体を分離するように、流体はフィルタを通過してプランジャへ移動される。濾過された流体は、さらなる使用のために、プランジャから取り出される。
【０００３】
フィルタの直径および厚みは、フィルタ毎に大きく異なり、また、フィルタの厚みは、１つのフィルタにおいても大きく変わり得る。そのため、濾過される流体の全てがフィルタを通過するように、かつ流体がフィルタの周縁の周りから漏出しないように、フィルタを封止することが困難になり、プランジャ内の濾過された流体が汚染され得る。また、流体がフィルタを通過するように移動される際に、フィルタは押し潰され、或いは変形し得るため、流体がプランジャ本体に流入する時にフィルタを迂回し得る。既存のアセンブリの多くが超音波溶接されたアセンブリを使用している。フィルタがアセンブリの隣接する壁に超音波溶接される場合、可塑剤が残留するおそれがあり、使用時に、バイアル内の流体を汚染するおそれがある。
【０００４】
更に、既存のフィルタバイアルは、プランジャの底部およびバイアルの底部の間に僅かな間隙を有しており、試料の一部が濾過されずに、さらなる試験および処理のために使用できない状態に残される。この濾過されていない試料の量は、絶対的には少ないかもしれないが、その量の試料が足りないことが問題となる程度の量に相当することがある。
【先行技術文献】
【特許文献】
【０００５】
【特許文献１】米国特許第３５１２９４０号明細書
【特許文献２】米国特許第３８３２１４１号明細書
【特許文献３】米国特許第３９５５４２３号明細書
【特許文献４】米国特許第４５１００５８号明細書
【特許文献５】米国特許第４７３４２６２号明細書
【特許文献６】米国特許第４８０００２０号明細書
【特許文献７】米国特許第４８９１１３４号明細書
【特許文献８】米国特許第４８９７１９３号明細書
【特許文献９】米国特許第４９９０２５３号明細書
【特許文献１０】米国特許第５３２９７３９号明細書
【特許文献１１】米国特許第５５４９８１６号明細書
【特許文献１２】米国特許第５５６７３０９号明細書
【特許文献１３】米国特許第５８３３８６０号明細書
【特許文献１４】米国特許第５９９８２１４号明細書
【特許文献１５】米国特許第７１３８０６１号明細書
【特許文献１６】米国特許第７７９０１１７号明細書
【特許文献１７】米国特許出願公開第２０１０／０３００９５９号明細書
【特許文献１８】独国特許出願公開第４１２８９２３号明細書
【発明の概要】
【発明が解決しようとする課題】
【０００６】
従って、流体試料の損失を回避すると共に、より多くの試料を処理できる管状のプランジャアセンブリ及びフィルタバイアルキットが必要とされる。
【課題を解決するための手段】
【０００７】
生物学的流体、化学的流体、或いは他の流体を分離するフィルタバイアルは、円柱状の側壁、開放された上部および閉鎖された底部を有する。切頭円錐状の突起が、底部の中央から上方へ突出し、バイアルの底部において環状の凹部を形成する。管状のプランジャは開放された下端を有し、その下端には、バイアルの側壁に嵌合してバイアルを封止するように寸法が定められた外側壁を有する環状のキャップが固定される。環状のキャップは、プランジャの底部にある開口を覆ってフィルタを保持する内側壁を有し、且つ、フィルタまで延びる整形キャビティを形成する。キャップの内側壁および外側壁の間の空間は、プランジャの管状端に連結される。流体をバイアルから突起およびフィルタを通りプランジャへ移動させるために、プランジャの端部にある環状のキャップは、突起が整形凹部に嵌合すると、バイアルの環状凹部に滑り嵌め状態で嵌合される。
【０００８】
詳細には、流体を濾過するフィルタバイアルおよびプランジャアセンブリを提供する。プランジャは、内部流体キャビティを画定する側壁を有する管状のプランジャである。プランジャは上端および下端を有しており、プランジャの下端にプランジャ開口を備える。環状のキャップは、プランジャの下端に連結される。環状のキャップは、同心状の内側壁および外側壁を備え、外側壁はプランジャの外側壁に連結されると共に、内側壁は、プランジャ開口に流体連通する整形キャビティを画定する。キャップの外側壁は、その底部或いはその底部の近傍に、外方に延出する第１シール面を有する。フィルタはキャップの内側壁およびプランジャ開口の間に配置されて、開口を通過する流体を濾過する。プランジャは、開放された上部および閉鎖された底部を有するとともに、上部および底部が円柱状の側壁によって連結されるバイアルに嵌合し、円柱状の側壁は、第１シール面との間に液密シールを形成するために十分な直径を有する。バイアルは、バイアルの底部の中心から上部へ向けて延出する突起を有する。キャップの環状の底部および相補的な形状を有するバイアルの底部は、突起および整形キャビティの相補的な形状を含み、使用時に、流体をバイアルから整形キャビティに移動させる。任意で、バイアルの底部および突起の外面に浅いチャネルが形成され、このチャネルは流体を突起の上部へ向けて移動させるように配向されてよい。好適には、任意で突起は切頭円錐形状である。
【０００９】
閉鎖された底部、開放された上部および側壁を備えた管状バイアルを有するフィルタバイアル装置が提供され、側壁は、バイアルの長手軸線に沿って配置され、直径Ｄの円柱状内部を画定する。閉鎖された底部は開放された上部およびバイアルの底部へ向けて延出する突起を有し、突起はバイアルの長手軸線の周りに環状凹部を画定し、突起は環状凹部の中心にある。本装置はまた、長手軸線を有する管状プランジャアセンブリを含む。プランジャアセンブリは、側壁によって対向するように連結される上端および下端を備えたプランジャを含み、プランジャ内に流体保持キャビティが画定される。プランジャの下端は、外側環状面および外側環状面から上端へ向けて軸線方向にずらされた内側環状面を有する。内側環状面は、一般に、アセンブリの長手軸線に直交すると共に、凹部側壁によって第１環状面に連結されて、アセンブリの長手軸線を取り囲む凹部が形成される。第２環状面は、プランジャの流体保持キャビティに流体連通する凹部開口を画定する。アセンブリはまた、同心の内側壁および外側壁を備えた環状のキャップを有し、内側壁および外側壁は、プランジャの底部の外側環状面が配置される環状凹部を画定する。キャップの外側壁は、プランジャの底部の外面を覆って延出する一方、キャップの内側壁は、プランジャの端部にある凹部の側壁に隣接して配置される。キャップの内側壁は、バイアルの底部にある突起を嵌合状態で受け入れるように構成される整形キャビティを画定する。整形キャビティは、プランジャの凹部開口に流体連通する上端を有する。また、キャップの外側壁の外面は、プランジャアセンブリがバイアル内に挿入される時に液密シールを形成するとともに、環状のキャップの前記バイアルの底部への移動を可能にするように、直径Ｄよりも十分に大きい直径を有する。アセンブリはまた、プランジャの内側環状面および環状キャップの内側壁の間に配置されるフィルタを含む。更に、プランジャアセンブリの底部にある環状のキャップは、バイアルの底部において、環状凹部に嵌合するように構成される。
【００１０】
本フィルタバイアル装置の更なる変形例において、プランジャ底部にある環状キャップは、バイアル底部にある環状凹部の寸法および形状に適合し、底部および突起との間に滑り嵌めを形成し、またバイアルの側壁との間に滑り嵌め或いは僅かな締り嵌めを形成する。更に、突起および整形キャビティは共に、実質的に同じ形状および寸法を有すると共に、底部が上部へ向かう部分よりも大きい切頭円錐形状であってよい。また更に、浅いチャネルが任意で、流体をチャネルからフィルタへ移動させるように、バイアルの底部および突起の側部に形成されてよい。また、フィルタバイアルアセンブリは、プランジャの上端において、取り外し可能な端部キャップを有してよく、端部キャップは、プランジャの流体保持キャビティに流体シールを設けるように構成される。また更に、上記フィルタバイアル装置は任意で、キャップの外側壁の上端にキャップフランジを有してよく、キャップフランジは、バイアルの側壁から外向きに延出して、前記キャップの外側壁の外面との間に液密シールを形成する。
【００１１】
本装置はまた、管状のプランジャの外面において、プランジャの下端に隣接して配置される外方対向凹部を含んでよく、キャップフランジは、この外方対向凹部内に配置される。プランジャは、外方対向凹部の下端において、或いは該下端に隣接して、外方に延出するプランジャフランジを有してよい。キャップの外側壁および外方対向凹部は、キャップの外側壁がプランジャフランジを越えて外方対向凹部まで延出するように配置されてよく、フランジの位置におけるキャップの外側壁の外径は、使用時に、バイアルの側壁と流体的に締り嵌めを形成するために、直径Ｄよりも大きい直径を有する。
【００１２】
フィルタバイアル装置は、有利には、凹部側壁を有し、該側壁は凸状であり、プランジャの長手軸線に向かって湾曲し、環状キャップの内側壁は、凹部側壁の凸状面に入れ子状に整合するように、凹状であると共に、凹部側壁の形状に適合する外面を有する。また、バイアルは有利には、フィルタを通過させられる約１０マイクロリットル以下の流体を保持するように構成されてよい。有利には、環状キャップの底部は、バイアルの底に当接し、約１０マイクロリットル以下の流体が、フィルタを通りプランジャの流体保持キャビティへ通過させられる。また本装置は、フィルタの上側において、フィルタに当接するフリット又はフィルタ支持体を含んでよい。好適には、環状キャップの内側壁および外側壁の各々は、環状キャップをプランジャの下端で保持するために、プランジャの一部に係合する。
【００１３】
別の実施形態において、バイアル、管状のプランジャおよび環状のキャップを含む長手軸線を有するフィルタバイアル装置を提供する。バイアルは、閉鎖された底部及び開放された上部を備えた円柱壁状のバイアルを含む。バイアルは底部において、バイアルの底部に環状凹部を形成するために、上方へ向けて延出するように中央に配置される突起を有する。プランジャは、バイアル内に延出する中空管状のプランジャを含む。プランジャは軸線方向対向凹部を備えた環状底部を有しており、環状底部は、管状プランジャの内部キャビティに流体連通する凹部開口を画定するように取り囲む環状壁部まで延びている。環状キャップは、プランジャの環状底部に配置される内側壁および外側壁を有し、外側壁はプランジャの外側壁上にある。外側壁は外面を有し、外面の第１部分は、アセンブリの使用時に、第１部分をバイアル壁部に係合させるために十分な距離だけプランジャがバイアル内に前進する際に、バイアルの円柱状壁との間に液密シールを形成する第１シール面を形成するために十分な距離だけ、長手軸線から外方へ延出する。キャップの内側壁は、軸線方向対向凹部に嵌合すると共に、フィルタを凹部の環状壁部で保持し、また環状キャップの内側壁によって形成される整形キャビティに流体連通するようにフィルタを配置するために十分な距離だけ延出する。環状キャップは、バイアルの環状凹部に嵌合し、バイアルの突起は整形キャビティ内に滑り嵌めされる。
【００１４】
フィルタバイアルアセンブリの別の変形例において、第１シール面は、プランジャの下端にフランジを含み、環状キャップの外側壁をバイアルの側壁に接触した状態で外方へ押す。好適には、シール面はプランジャおよび環状キャップの下端に配置される。またアセンブリは、環状キャップの外側壁に、第１シール面の上方に配置される第２シール面を有してよい。有利には、突起は切頭円錐形状であり、キャップの内側壁は、切頭円錐形状の内方対向面を有する。また、プランジャの端部に形成される軸線方向対向凹部は、凸状の側壁を有し、キャップは凸状の側壁と嵌合するように構成される外方対向面を内側壁に有してよい。また更に、バイアルの底部のチャネルは、フィルタバイアルアセンブリの使用時に、流体を容器底部からフィルタへ向けて移動させるために、突起の表面にあるチャネルに流体連通するように配置されてよい。
【００１５】
また、様々なバイアルと共に使用される流体濾過用管状プランジャアセンブリを提供する。管状プランジャは、少なくとも１個の開放された底部を有し、プランジャ内には、流体保持キャビティが設けられる。プランジャは内側環状面および外側環状面を備える下端を有し、内側環状面および外側環状面は、プランジャの長手軸線を取り囲むとともに、長手軸線に対して直交し、プランジャの下端にプランジャ凹部を画定するように、長手軸線を取り囲むとともに、長手軸線に対向する凹部側壁によって、その軸線に沿って所定距離だけ離間する。内側環状面は凹部への開口を取り囲み画定し、開口はプランジャの流体保持キャビティに流体連通する。プランジャアセンブリは、キャップ底部を有する環状のキャップを備え、キャップ底部から同心状の内側壁および外側壁が延び、キャップはプランジャの下端を覆うように嵌合する。外側壁は、プランジャの下端の外面を覆うように嵌合する。内側壁および外側壁は、内側壁および外側壁の間に外側環状面を受け入れる。内側壁は、プランジャ凹部の側壁に当接する外面を有する。内側壁の内面は、開口と凹部とを流体連通させる整形キャビティを画定する。内側壁は上端を有する。フィルタは、内側壁の上端および内側環状面の間に挟持される。
【００１６】
別の変形例において、管状のプランジャアセンブリは、環状のキャップの外側壁の外面の一部を、環状のキャップの底部或いは該底部の近傍に有し、プランジャアセンブリの使用の間に、キャップがバイアルに挿入された時に、フィルタバイアルに液密シールをもたらす第１シール面を形成するために十分な距離だけ外方に延出する。第１シール面は有利には、プランジャの端部上においてフランジによって形成され、キャップの側壁の一部を外方へ押す。プランジャアセンブリはまた、フィルタおよび第１環状面の間に配置されるフリット又は支持体を含んでよい。また、アセンブリは長手軸線に沿って対向し、かつ長手軸線を取り囲むと共に、第１環状面および第２環状面の少なくとも一方に形成されるシール面を有してよい。更に、凹部側壁は凸状湾曲形状を有してよく、その場合には、キャップ内側壁の外面は好適には、嵌り合い凹形状を有する。整形キャビティは好適には、切頭円錐形状である。有利には、管状プランジャは、第２環状面の位置において厚みがより大きい側壁を有する。好適には、プランジャアセンブリは、プランジャの上端において液密シールを解放可能に形成するように構成される取り外し可能なクロージャを有する。
【００１７】
また、上述のプランジャアセンブリ並びにフィルタバイアルのいずれかを含むフィルタバイアルキットを提供する。フィルタバイアルは、開放された上部および閉鎖された底部を有し、底部の中心に突起を備えてよい。突起は、長手軸線に沿って測定される環状キャップの内側壁の高さと略同じ距離だけ上部へ向けて延出する。突起の形状は、キャップの整形キャビティに適合する。フィルタバイアルはまた、第１シール面との間に液密シールを形成するように、プランジャの底部において、キャップの外側壁の少なくとも一部の外径より僅かに小さい内径を有してよい。
【００１８】
別の変形例において、フィルタバイアルキットは、取り外し可能なキャップを有し、約３０マイクロリットル未満の容積を有していてよい。また、バイアルの内側底部および突起は、キャップの底部および整形凹部の外形に適合するように構成されてよい。有利には、フィルタバイアルの底部は任意で、内部に形成される浅いチャネルを有してよく、このチャネルは、突起表面の浅いチャネルに流体連通する。チャネルは、使用時に、突起の上部へ流体を移動させるように配向される。
【００１９】
プランジャと、フィルタと、環状キャップとバイアルを含む別のフィルタバイアルキットも提供される。プランジャは上端および下端を有し、プランジャの下端に開口を備える中空管状のプランジャを含む。フィルタは、プランジャの下端の開口を横切って延在する。環状のキャップは、プランジャの下端に固定される。キャップの外側壁は、プランジャの下端の外面に沿って延在し、外側壁の一部は、第１シール面を形成するように、予め定められた距離だけ外方に延出する。環状キャップは、内側壁を有し、プランジャの下端の開口に流体連通する整形キャビティを形成する。バイアルは、開放された上部および閉鎖された底部を有し、底部は、バイアルの上部へ向けて延出する中心突起を有する。バイアルはまた、円柱状側壁を有し、バイアルおよび環状キャップの間に液密シールを形成するために、予め定められた直径よりも十分に小さい直径を備える。環状キャップの底部および整形凹部は、バイアル内の流体が整形キャビティおよびフィルタを通過するように、バイアル底部および突起の形状に連結するように構成される。
【００２０】
本フィルタバイアルキットの別の変形例において、バイアルの底部は、突起の表面の浅いチャネルに流体連通する浅いチャネルを有し、環状のキャップがバイアルの底部およびその突起と滑り嵌めされた時に、流体がチャネルを通りフィルタへ向かう。また、キャップの内側壁は、フィルタを所定位置に保持するために、フィルタをプランジャの一部に接触するように押してよい。好適には、整形キャビティは切頭円錐形状であり、突起は、突起の上部へ流体を移動させるために、突起の表面に浅いチャネルを備えた結合円錐形状を有する。
【００２１】
改良型フィルタバイアルも提供する。改良型バイアルは、開放された上部および閉鎖された底部を有するプラスチック製のフィルタバイアルを含み、上部および底部は、円柱状の側壁によって連結される。底部は、バイアルの長手軸線に沿って上部へ向けて、僅かな距離だけ延出する突起を有する。フィルタバイアルは、約３０マイクロリットル以下の容積と、約１．２７ミリメートル（０．０５０インチ）以下の厚みの側壁を有する。任意で、突起は切頭円錐形状であると共に、約０．５センチメートル（０．２インチ）未満の距離を延出する。任意で、バイアルの底部は、前記突起の外面の浅いチャネルに流体連通する浅いチャネルを有し、流体を該チャネルから前記突起の上部へ向けて移動させるように配向される。チャネルは好適には、放射状に配向される。
【００２２】
本明細書に開示される様々な実施形態の以下の特徴およびその他の特徴は、以下の説明および図面を参照することでより良好に理解される。図面全てにおいて、同じ符号は同じ部品を指す。
【図面の簡単な説明】
【００２３】
【図１Ａ】底部に突起または隆起を有するフィルタバイアルの側面図。
【図１Ｂ】図１Ａのフィルタバイアルの上面図。
【図１Ｃ】図１Ａのフィルタバイアルを示す図１Ｂにおける１Ｃ−１Ｃ線に沿った断面図。
【図２Ａ】図１Ａのフィルタバイアルと併せて用いられるプランジャの側面図。
【図２Ｂ】図２Ａのプランジャを示す２Ｂ−２Ｂ線に沿った断面図。
【図２Ｃ】図２Ｂにおける２Ｃ線によって囲まれる部分の断面図。
【図３Ａ】図２Ａのプランジャと併せて用いられるキャップの側面図。
【図３Ｂ】図３Ｃにおける３Ｂ−３Ｂ線に沿った断面図。
【図３Ｃ】図３Ａのキャップの上面図。
【図４Ａ】図２Ａのプランジャ上にある図３Ａのキャップの側面図。
【図４Ｂ】図４Ａの４Ｂ−４Ｂ線に沿った断面図。
【図４Ｃ】図４Ｂの下端の拡大断面図。
【図５Ａ】バイアル内で流体を濾過する前に図１Ａのバイアルに挿入された図３Ａのキャップを備える図２Ａのプランジャを示す断面図。
【図５Ｂ】プランジャにより流体をプランジャ内へ移動させている状態の図５Ａのプランジャの断面図。
【図５Ｃ】プランジャがバイアル底部およびプランジャ内の濾過された流体の全てに当接する状態の図５Ａのプランジャの断面図。
【図６Ａ】切頭円錐状突起を有する図１Ａ及び１Ｂのバイアルの別の実施形態を示す部分斜視図。
【図６Ｂ】図６Ａの環状空間および突起に整合する整形凹部を有するキャップの底面図。
【図７Ａ】４面断面形状の突起を示す図１Ａ及び１Ｂのバイアルの別の実施形態を示す部分斜視図。
【図７Ｂ】図７Ａの環状空間および突起に整合する整形凹部を有するキャップの底面図。
【図８Ａ】３面断面形状を備えた突起を示す図１Ａ及び１Ｂのバイアルの別の実施形態を示す部分断面図。
【図８Ｂ】図８Ａの環状空間および突起に整合する整形凹部を有するキャップの底面図。
【図９Ａ】４面断面形状を備えたバイアルにある４面断面形状の突起を示す図１Ａ及び１Ｂのバイアルの別の実施形態の部分斜視図。
【図９Ｂ】図９Ａの環状空間および突起に整合する整形凹部を有するキャップの底面図。
【図１０Ａ】３面断面形状を備えた突起を示す図１Ａ及び１Ｂのバイアルの別の実施形態を示す部分斜視図。
【図１０Ｂ】図１０Ａの環状空間および突起に整合する整形凹部を有するキャップの底面図。
【図１１】プランジャ下側部分、フィルタ、フィルタ支持体またはフリット、およびキャップの分解断面図。
【発明を実施するための形態】
【００２４】
図１Ａ〜１Ｃおよび図５Ａ〜５Ｃを参照して簡潔に説明すると、管状フィルタバイアル１０は閉鎖底部１２を有し、底部の中央に配置される隆起即ち突起１４を備える。突起１４はバイアルの円柱状壁部１６により形成されるキャビティ内へ延出し、バイアルの突起１４および壁部１６の間に環状の空間を形成する。浅いチャネル１５が底部１２および突起１４の側面に形成される。流体試料がバイアル１０内に配置される時に、流体は突起１４を囲む。管状プランジャ１８は第１外側環状下端２０を有し、第１外側環状下端２０を覆って環状キャップ５０が嵌合し、環状キャップ５０の下部は、突起１４を囲む環状の空間を充填すると共に突起１４に滑り嵌めするような形状を有して、バイアル１０内および突起１４を囲む環状の空間内の全ての流体を、プランジャ底部のフィルタ７０を介して管状プランジャ１８の内部へ移動させ、濾過された流体は、そこで更なる利用のために取り出されてよい。底部１２および突起１４の側面の浅いチャネル１５は、残留流体を、バイアルからフィルタ７０を通りプランジャ１８に向かって移動させる。プランジャ１８の環状下端２０は好適には、プランジャの長手軸線２７に対して直交するが、下端２０は多様な形状を有してよく、平坦な環状面である必要はない。プランジャ上端２２にある取り外し可能な端部キャップ２３（図５Ａ〜５Ｃ）は、濾過された流体のための閉鎖容器を提供する。端部キャップ２３は管状プランジャ内の流体を取り出すために取り外されるか、濾過された流体を取り出すために、膜２５を通って針が挿入される。端部キャップ２３は種々の形態を有してよく、また、ねじ２４などの様々な方法でプランジャ１８の上端２２に取り付けられてよい。
【００２５】
上部および底部、或いは上側および下側の相対的な方向は、図１Ａ、図２Ａおよび図３Ａを鉛直方向に置いた時の部品に対するものである。これは、バイアルおよびプランジャが鉛直方向に沿って使用位置に保持される時に、上部が地面から離間する方向を向き、底部が地面へ接近する方向を向くことを意味する。従って、相対的な方向は、人間の直立方向に対応する。同様に、上下、或いは上側および下側、或いは上方および下方は、バイアルが鉛直方向に向けられた状態で直立する人間の相対位置を示す。内側または内方の相対方向は、以下に説明する様々な部品に共通する長手軸線２７に接近する方向を示す。外側または外方の相対方向は、共通の長手軸線２７から離間する方向を示す。また、本明細書で使用される滑り嵌めは、手動で位置決めされる時に、部品が嵌まり合うことを可能にする極めて密接した嵌合のことであって、締り嵌めではない。滑り嵌め部品の間の空間は、ゼロから約０．１ミリメートル以下（数千分の１インチ以下）の間で変化してよい。
【００２６】
図２Ａ〜図２Ｃを参照すると、管状プランジャ１８は、下端２０および上端２２をそれぞれ有し、円形断面を有する。ねじ２４は任意で、上端２２の近傍のプランジャ外面に配置されてよく、ねじは、好適には液密シールを形成することにより、プランジャの上端を閉鎖するために、ねじ込みクロージャ２３（図５Ａ）に連結されるように構成されてよい。クロージャ２３は弾性の膜２５を有してよく、プランジャ１８内の濾過された流体の一部を抜き取るために、この膜２５を通って針が挿入され得る。上側フランジ２６が、プランジャ１８の外面からプランジャの上端２２へ向けて外方へ延出する。上側フランジ２６は様々な断面形状を有してよく、好ましくは三角形の断面形状を有する。三角形の断面形状は、上側フランジ２６をバイアル１０へ挿入することを容易にするように傾斜しており、それにより、フランジがバイアル内壁１６を密封する一方、プランジャのバイアルからの取り外しが制限される。従って、フランジ２６は、プランジャ１８の外面から外方へ延出し、好適にはプランジャ１８の長手軸線２７から半径方向に延出する一側面を有する一方、別の側面は、長手軸線２７をフランジ２６およびプランジャ下端２０の間において長手軸線２７に交差するように傾斜している。通気孔２９がプランジャ１８の壁部を貫通してよく、通気孔２９は、フランジ２６および下端２０の間において、有利にはフランジ２６の近傍に配置される。通気孔は、プランジャ１８の予期される流体高さよりもかなり上方に配置されるべきである。
【００２７】
プランジャ１８の管状流体保持キャビティは、好適には上端２２から延びる円柱状部２８を有し、円柱状部２８は、下端２０からプランジャの長さの約１／４の長さだけ離間した位置から延びる狭小部３０を備える。狭小部３０は任意であるが、切頭円錐面を形成する傾斜壁を有することが好ましい。狭小部３０の下端は、プランジャ１８の下端に形成される拡大プランジャ凹部３２に開口している。プランジャ凹部３２は概して円柱形状であり、プランジャ１８の下部に段差を形成する。この段差は、図１１に示すように、段差において、直径が大きく変化するものであっても、緩やかに変化するものであってもよい。プランジャの環状端部２０はプランジャ凹部３２および軸線２７を包囲しており、プランジャ凹部３２は軸線２７に対向するとともに軸線２７に沿って延びる。プランジャ凹部３２は、底面２０からプランジャ上部へ向けて僅かな距離だけ延出し、環状壁部３４まで延びており、環状壁部３４は概ねプランジャの長手軸線２７に対して直交すると共に、流体保持キャビティ３０の下端を取り囲む。プランジャの環状端部２０は、概ねプランジャ１８の外縁に整合するか近接する外側環状面として示され、環状壁部３４は、第１環状面２０からプランジャの上端２２へ向けて内方に且つ横方向にずらして配置される。側壁３６は軸線２７に対向するように軸線２７を取り囲んでおり、且つ、環状面２０の内縁を環状面３４の外縁に連結する。第１外側環状面２０は、管状プランジャ１６の壁部によって形成される管状突部の端上にあるが、第２内側環状面３４は第１外側環状面２０からずらされ、流体保持キャビティ２８，３０への下部開口を画定する。
【００２８】
プランジャ凹部３２は、以下に説明するように、プランジャ凹部３２に配置され得る連結部品とのシールを容易にするような平行、傾斜、湾曲、或いは他の形状であってよい。側壁３６は僅かに湾曲していることが好ましく、側壁は凸状に形成されることにより、側壁の中央が側壁３６の端部よりも、長手軸線２７に接近するように延出する。従って、プランジャ凹部３２はその上部および底部において最大の直径Ｄ１を有し、上部および底部の間で最小の直径Ｄ２を有する。図２Ａ〜図２Ｃに示すように、環状面即ち壁部３４はプランジャ端部２０の上方にあるため、環状壁部３４は、プランジャ凹部３２の上壁３４とも称する。側壁３６の凸形状は、以下に説明するように、環状キャップ５０をプランジャ１８の環状底部上で保持することを容易にする。
【００２９】
有利には、任意で軸線２７に沿って、プランジャ１８の底部の方向に延出する凹部シール部材３５（図２Ｃ）が環状上側壁部３４に形成されてもよい。好ましくは、三角形断面を有するシールが、傾斜した流体保持キャビティ３０および上壁３４が交差する縁に設けられる。
【００３０】
端部シール部材３８が、任意で環状端面２０上に形成される。端部シール部材３８はプランジャ凹部３２を包囲すると共に、軸線２７を中心として配置される。三角形断面を備えた端部シール部材３８が好ましく、シールは軸線２７の方向に沿って延び、プランジャ下端２０から離れるほど軸線２７に接近するように延出する。有利には、端部シール部材３８は、環状端面２０のほぼ中央において、プランジャ凹部３２およびプランジャ端部２０の外周の略中間に形成される。図２Ｃによく示されるように、端面２０に隣接するプランジャの外面は任意で、軸線２７に沿って上方に僅かな距離だけ延びる円柱形状であってよい。対照的に、プランジャの端面２０の内面は、好適には上述したように湾曲している。
【００３１】
環状溝４０は好適には、下端２０に隣接すると共に、プランジャ１８の外面に、プランジャの端部を包囲するように形成される。溝４０は、直交端を備え、軸線２７に対して概ね平行且つ同心状の平坦底部を有してよい。溝４０の幅は軸線２７に沿って僅かな距離だけ延出し、その距離は、以下に説明するキャップの形態に少なくとも部分的に対応している。溝４０の下縁および端部２０の間のプランジャ１８の外側面は概ね傾斜しており、プランジャの下部にプランジャフランジ４２を形成する。好適には、プランジャフランジ４２は傾斜しているため、端部２０の下方において、軸線２７と交差する。また、プランジャフランジ４２の最大直径は、好適には、プランジャ１８の円柱の直径と同じである。図２によく示されるように、プランジャフランジ４２は好適には、軸線２７に沿って、プランジャ凹部３２の下方まで延び、溝４０は、プランジャ凹部３２の上部まで延びている。
【００３２】
図２Ｂおよび２Ｃを参照すると、管状プランジャ１８の下端は外側壁を有し、その上にプランジャフランジ４２が配置されており、プランジャフランジ４２は、プランジャ凹部３２の内壁３６と半径方向において対向する。以下に説明するように、プランジャ１８の下端において対向するこれらの面の各々は、プランジャ下端を覆うように嵌合される環状キャップ５０の結合面を封止する。
【００３３】
図２〜４を参照すると、環状キャップ５０は、締り嵌めによりプランジャフランジ４２を覆うように押し付けられる一方で、キャップをプランジャ１８の端部で保持することを容易にするために、プランジャ凹部３２の側壁３６に嵌合するように形状および寸法が定められる。環状キャップ５０は、底部５６によって下端で連結される概ね円柱状の管状外側壁５２と、概ね円柱状の管状内側壁５４とを有する。キャップの外側壁５２は、その自由端において、外側延出フランジ５８を有する。内側壁５４は、その自由端において、外側延出フランジ６０を有する。外側壁５２は概して厚みが均一であると共に、内側壁５４よりも高く、好適には、内側壁５４を越えて配置される外側壁フランジ５８を有する。
【００３４】
側壁５２，５４は、同心であると共に、側壁５２，５４の間に外側環状面２０と、環状面２０が形成されたプランジャ側壁の一部とを受入れるために、所定距離だけ間隔があけられている。有利には、キャップの側壁５２，５４は、環状面２０が形成された管状プランジャ側壁の形状に適合している。従って、内側壁５４および外側壁５２は同心に延びており、環状壁部はキャップ５０の上側面上で底部５６により所定距離だけ離間しており、キャップ５０の下側にて底部５６より大きな底部５７を備える。環状キャップ５０の上方の対向側面上の底部５６は、キャップ側壁５２，５４の対向する部分の間に延出する環状面を形成すると共に、内側壁５４の外部から外側壁５２の内部まで延出する半径方向に沿った幅を有する。環状キャップ５０の下方の対向側面上の底部５７は、側壁５２，５４の間に同様に延在する環状面を形成しているが、内側壁５４の内部から外側壁５２の外部へ延出する半径方向に沿った幅を有する。
【００３５】
内側壁５４は湾曲した外面６２（図３Ｂ）を有しており、曲率はプランジャ凹部３２の側壁３６の曲率に適合するように選択されるため、側壁５４および６２は入れ子状態で連結される。この結合湾曲形状は、キャップ５０をプランジャ１８の端部で保持するだけでなく、液密シールを形成するために、内側壁５４がフィルタ７０を内側環状壁３４に押圧することを保証する。従って、使用に際して、内側環状側壁５４の外面６２は、プランジャ１８の端部にあるプランジャ凹部３２の側壁３６に当接し、側壁５４，３６は液密シールを形成する。
【００３６】
内側壁５４は、滑り嵌めにより、また任意で僅かな締り嵌めにより、突起１４（図１Ｃ）に嵌合するように整形される内面６４（図３Ｂ）を有する。好適には、内面６４は任意で円錐面（切頭円錐状）のセグメントであり、この面は、側壁５４，５８の端部の上方で、長手軸線２７に交差するように傾斜している。従って、キャップの内側壁５４は、長手軸線２７を中心とする整形キャビティ６６を形成する。有利には、キャップの内側壁５４は、環状キャップ５０の下端へ向けて外方に傾斜しており、好適には、内側壁５４の内部で、全長に沿って外方に傾斜する。有利には、キャップ内側壁５４の上部６８（図３Ｂ）は、砂時計形状の断面を形成するように、プランジャ凹部３２（図４Ｃ）の内側環状壁部３４の内部にある円形開口と同じ円形開口を形成し、砂時計の狭小部分にフィルタ７０を備える。内側壁５４の上端は、使用時にフィルタ７０に当接する環状面６８を形成すると共に、フィルタをプランジャ１８の内側環状面３４に押し付ける。
【００３７】
図２〜４および図１１、特に図２Ｃ、３Ｂ、４Ａ〜４Ｃを参照すると、プランジャアセンブリ６９の形成工程が説明されており、キャップ５０は、フィルタ７０また任意でフリット又は支持体７２を所定位置で保持するために、プランジャ１８上に配置される。外側壁５２は、プランジャ１８のプランジャフランジ４２の最大直径よりも僅かに小さい直径を備えた内面を有することにより、環状キャップ５０の上端がプランジャ１８の下端を覆うように押し付けられる時に、締り嵌めが形成される。キャップの外側壁５２は、プランジャフランジ４２の位置において僅かに外方へ隆起するために十分な可撓性を備えており、側壁５２の上部は、プランジャ下端の溝４０に嵌合する。プランジャフランジ４２は有利には、環状キャップ５０の外側壁５２との間に液密シールを形成する。使用時に、プランジャフランジ４２は好適には、プランジャフランジ４２をキャップ５０に容易に嵌合させ、かつ部品が係合した後にフランジからキャップが外れることを防止するように傾斜して構成される。
【００３８】
プランジャフランジ４２が環状キャップ５０の外側壁５２を密封するため、環状キャップの内側壁５４の外面は、管状プランジャ１８の端部にあるプランジャ凹部３２の内方対向面３６即ち側壁３６を密封する。キャップ５０の外側壁５２にあるフランジ即ちリブ５８は、プランジャの溝４０に嵌合する。フランジ５８は、外側壁５２の相対移動を制限するために、溝４０の上側面に当接してもよい。溝４０内のフランジ５８はまた、プランジャからのキャップ５０の取り外しを阻止する。
【００３９】
同様に、内側壁５４は、プランジャ１８を封止すると共に、キャップのプランジャからの取り外しを妨げる。図示する実施形態において、側壁３６は軸線２７に向けて凸状であり、内側壁５４の外面は、凸状の側壁３６に嵌合するように湾曲している（凹状である）。キャップの内側壁５４は、液密シールを形成すると共に、部品を共に保持するために、プランジャ側壁３６に係合する。面３６および内側壁５４に、他の嵌め合せ形状が用いられてもよい。
【００４０】
好適には、環状キャップ５０の底部５６は、プランジャ１８の環状底部２０を受入れるように寸法が定められており、任意の端部シール部材３８は底部５６（図４Ｃ）に当接する。従って、環状キャップ５０は、プランジャ１８の下端にあるプランジャフランジ４２を覆うように押し付けられ、プランジャフランジ４２は、キャップを所定位置に保持するために、スナップ式の係止部を形成し、キャップはプランジャ下端と共に液密シールを形成する。また、環状キャップ５０は、プランジャの下端においてプランジャ１８の外面を密封し、また有利には、プランジャからキャップが外れることを防止する外側壁５２を有する。環状キャップ５０はまた、プランジャの下端において、プランジャの内面（側壁３６）を密封し、また有利には、プランジャからキャップが外れることを防止する内側壁を有する。環状キャップ５０は流体通路６６を画定し、キャップ５０は、傾斜を有する流体保持キャビティ３０の下端の開口に流体連通する。
【００４１】
有利には、キャップの内側壁５４は、突起１４（図１Ｃ）の高さに対応する高さｈを有し、この高さで、好適には、側壁５４の上側環状端部６８（図３Ｂ）はプランジャ凹部３２の上壁３４およびフィルタ７０の近傍に或いは当接するように配置されるが、傾斜を有する流体保持キャビティ３０（図４Ｂ，４Ｃ）の下部は、整形キャビティ６６の上端に軸線２７に沿って整合する。図４Ｂおよび４Ｃを参照すると、キャップの内側壁５４は好適には、上端６８およびプランジャ凹部３２の上壁３４の間に僅かな間隙を有する。フィルタ７０と、また好適には任意でフリット又は支持体７２とは、その僅かな間隙に配置される。フィルタは好適にはフリット又は支持体７２の下方にあり、それにより、フリット又は支持体７２は、整形キャビティ６６から流体保持キャビティ３０への上向きの流体圧力に抗してフィルタを支持できる。フィルタ７０の外縁およびフリット又は支持体７２は、プランジャ凹部３２の上壁３４（図２Ｃ）および内側壁５４の上端６８の間に挟持される。図１１に部分的に示すように、任意の数のフィルタ７０またはフリット又は支持体７２が、様々に配置される。フィルタ７０およびフリット又は支持体７２の数ならびに配置は、特定の用途および構成に応じて変更でき、フィルタおよびフリットまたは支持体の形状も同様に変更可能である。特に、１つ以上のフィルタ７０が、フリット又は支持体７２の上流側または下流側に配置されてよく、フィルタはフリット又は支持体７２から分離されるか、取り付けられてよい。また、凹部３４の側壁３６は湾曲しているため、フィルタ７０と、フリット又は支持体７２とは、上壁３４（図２Ｃ）のすぐ近傍の側壁３６（図２Ｃ）の大きな直径部分の近傍に配置されるために十分な大きさの直径を有し、側壁の湾曲により、フィルタとフリット又は支持体との少なくとも一方は所定位置に一時的に保持される。更に、シール７０および任意のフリットまたは支持体７２の直径は好適には、プランジャの端部にあるキャビティ３２の上壁３４上において、シール部材３５を越えて延出するために十分に大きい。シール部材３５は、上壁３４およびキャップ内側壁５４の端部６８およびその間にあるフィルタまたはフリット又は支持体の間を液密に密封することを容易にする。
【００４２】
フィルタ７０は好適には、任意でテフロン（登録商標）、ナイロン、ガラス繊維、または他のフィルタ材料、例えばＰＶＤＦ（ポリフッ化ビニリデン）またはＰＥＳ（ポリエチレンスルフォン）などから製造される。支持体又はフリット７２は好適には、プランジャ１８またはキャップ５０と同じプラスチックから製造されるが、多孔性であれば流体の流動が可能である。フリット７２は、テフロンまたはガラスメッシュから製造されてよい。フィルタ７０およびフリット又は支持体７２の両方が、そこを通過する容積がマイクロリットル単位で測定される場合には極めて薄くてよい。キャップ５０の内側壁５４とプランジャ１８にある凹部３４の上壁との間の間隔は、支持体７２を破損することなく、使用時に流体がフィルタ７０を通過するために十分な力で、これらの薄い部品（フィルタ、フリット又は支持体の少なくともいずれか）を所定位置に保持するように選択される。従って、内側壁５４およびプランジャ１８は、フィルタ７０とフリット又は支持体７２との少なくともいずれか一方を所定位置で挟持する。使用時に、フィルタがそれ自体で、流動する流体に安全に耐え得るために十分な強度がある場合、フリット又は支持体７２を省略してもよい。そうでない場合、適当な厚みおよび硬さのフリット又は支持体７２が設けられる。プランジャ１８と、より厚いプランジャ側壁との少なくとも一方は、環状キャップ５０より硬い材料から製造することができるため、あるいはプランジャ１８の下端の形状は、キャップ５０の位置において軸線２７に沿って、プランジャ１８をより硬くするため、全ての応用例において支持体又はフリット７２が必要とされないフィルタ７０を内側壁５４および上壁３４の間に挟持するように、キャップ５０およびその内側壁５４は、プランジャ１８に対して十分に密接に押し付けらることが可能である。従って、プランジャアセンブリ６９は有利には、環状キャップ５０およびプランジャ１８の下端の間に配置されるフィルタ７０およびフリット又は支持体７２の両方ともを有するが、フリット又は支持体７２を省略してもよい。
【００４３】
図４Ｃに反映されているように、環状キャップ５０が管状プランジャ１８の下端にスナップ留めされて、プランジャアセンブリ６９を形成する時には、湾曲側壁３６および側壁３６上の内側壁５４の対向部分は、好適には締り嵌めされない。また、傾斜した流体保持キャビティ３０の下端に隣接するプランジャ１８の下端は、プランジャの上部より厚みが大きく、従ってより硬いため、補強されたプランジャ端部がもたらされる。プランジャ１８の下端にある傾斜した流体保持キャビティ３０は、環状キャップ５０にある整形キャビティ６６の開口に整合する。傾斜部が設けられた流体保持キャビティ３０の直径は、好適には、使用者が整形キャビティ６６へ向けて移動するにつれて、長手軸線２７に沿って狭くなり、またキャビティ６６は、使用者が流体保持キャビティ３０に向けて移動するにつれて、長手軸線に沿って流体保持キャビティ３０へ向けて狭くなるため、概ね砂時計形状を形成し、即ちベンチュリ管形状を形成する。図４Ａおよび４Ｂに示すように、結果的に得られるプランジャアセンブリ６９は、キャップ５０の端部のフランジ５８およびプランジャフランジ４２の少なくとも一方の位置に隣接して外方に延出する突起を除き、概ね均一な外径を有する下部を備える。
【００４４】
図１Ｃ、４Ｂ、４Ｃ、５Ａ、５Ｂ、５Ｃを参照すると、図４のプランジャアセンブリは、バイアル１０の開放端部８０に配置される。開放端部８０は有利には、プランジャアセンブリ６９の下端をバイアル１０に対して整合および挿入することをより容易にするために、内方および下方に傾斜が設けられた開口を有する。有利には、リブ８２が任意でバイアルの上端の周りに延出して、バイアルの開口周りを補強する。バイアル１０の側壁１６の内径は、環状キャップ５０の下端の直径に相当するか、或いはそれより僅かに大きい。しかし、バイアル側壁１６の内径は、キャップフランジ５８の位置、好適には、プランジャフランジ４２の位置におけるプランジャアセンブリの直径よりも小さく、プランジャアセンブリ６９の両位置において締り嵌めが形成される。バイアル１０内におけるリブ５８およびプランジャフランジ４２の位置での約０．１ｍｍ（数千分の１インチ以下）の締り嵌めは、濾過される液体の容量がマイクロリットル程度である場合に適切であり得るが、締り嵌めの量は選択される材料に応じて変更される。
【００４５】
好適には、キャップ外側壁５４がフランジ４２（図２Ａ、４Ａ）に押し付けられるにつれて、側壁５４は、環状キャップ５０およびバイアル１０の側壁１６の間に一次シールを形成するために十分な距離だけ僅かに外方へ隆起する。この一次シールは、バイアル１０内の流体がこの一次シールを通過しないように、十分な締り嵌めを形成する。二次シールは、バイアル側壁１６の内部に押し付けられるリブ５８によって形成される締り嵌めによってもたらされる。有利には、プランジャフランジ４２および外側壁５２上のキャップリブ５８によって設けられるシールの間の領域に、流体は流入しない。バイアル１０内の流体は、プランジャフランジ４２によって、キャップ側壁５２を外方へ押してバイアル側壁１６の内部に当接させるように形成される流体シールを通過しないため、プランジャ１８およびバイアル底部１２が互いに向けて移動されるにつれて、流体はプランジャ１８内へ流れる。バイアル側壁１６の内面は、好適には、部品をより容易に成形することを可能にすると共に、プランジャフランジ４２および環状キャップ５０上の外方延出リブ５８によってもたらされる一次および二次シールの間の僅かな締り嵌めの量を増加させるように、僅かに傾斜している。バイアルの高さが約２５ｍｍ（１インチ）である場合に、バイアルの高さ全体に対して、約０．１ｍｍ以下（数千分の１インチ以下）の僅かな傾斜が適切であり得る。
【００４６】
プランジャアセンブリ６９がバイアルの底部１２へ向けて移動するにつれて、プランジャアセンブリ６９の端部にある環状キャップ５０内の整形キャビティ６６は、バイアル底部１２において突起１４に整合し、嵌合する。突起は好適には切頭円錐形状であるが、図６〜１０に示すと共に以下に説明するように、他の形態が用いられてもよい。より重要な点は、突起１４の形状が、整形キャビティ６６に滑り嵌めするように構成されることにある。プランジャアセンブリ６９およびバイアル側壁１６の間にシールが形成されるため、プランジャアセンブリ６９が軸線２７に沿ってバイアルの底部１２へ向けて前進するにつれて、流体はバイアル底部１２へ向けて押し付けられ、整形キャビティ６６およびフィルタ７０を通り、キャビティ３０，２８によって示されるプランジャ１８の本体内へ移動される。
【００４７】
更に図５Ｂおよび図１Ｃを参照すると、プランジャアセンブリ６９の下端が突起１４の上部に到達して通過すると、バイアル１０内の残りの流体は、流体がフィルタ７０を介して流体保持キャビティ３０および２８の少なくとも一方へ流動するように、突起１４の傾斜側面および整形キャビティ６６の結合側面の間を流動させられる。更に図５Ｃおよび図１Ｃを参照すると、プランジャアセンブリ６９の下端がバイアル１０の底部１２に当接する時に、バイアル底部１２および突起１４に沿った流体の殆ど全て或いは全てがフィルタ７０を通過させられ、突起１４の上部は好適にはフィルタ７０に当接し、また理想的にはフィルタ７０を僅かに押すが、フィルタおよび任意のフリット又は支持体７２を破損することはない。バイアル底部１２のチャネル１５および突起１４の側面は、バイアル内の流体がフィルタ７０を通過するのを可能にする流路を形成する。キャップの外側壁５２がバイアル側壁１６を密封すると、流体はバイアルの底部１２へ向けて押され、また、キャップの底部５７がバイアル底部１２に押し付けられると、捕らえられた流体は浅いチャネル１５へ向けて押し付けられ、且つフィルタ７０を通って移動される。実際のところ、プランジャアセンブリ６９がバイアル底部１２へ押し付けられるとき、環状キャップ５０の底部５７は浅いチャネル１５に僅かに押し入れられて、突起１４の上部がフィルタに当接すると、捕らえられた流体をチャネル１５およびフィルタ７０を通過させるために十分な圧力をもたらす。約０．１ｍｍ以下（数千分の１インチ以下）の深さおよび同程度の幅のチャネルが適当であり得る。４〜８個のチャネルが適当であり得るが、チャネル１５の数および寸法は、バイアル１０の特定の構成および寸法に応じて変更される。
【００４８】
従って、プランジャ１８の下端にあるキャップ５０は、キャップの外側壁５２の外面およびキャップの内側壁５４の内面によって形成される環状雄突起を形成し、整形凹部６６を雄突起の中心に備える。環状雄突起はキャップ５０の底部５７および側壁５２，５４によって有効に形成されて、プランジャ１８の下端に固定される。相補的な形状に整形された環状雌凹部が、バイアルの側壁１６、底部１２および突起１４によって形成される。同様に、バイアルの雄突起１４は、整形キャビティ６６の雌凹部に連結されるように整形される。雄突起および雌凹部は嵌合し、それらの間で流体を圧迫して、流体を中心突起１４へ向けて管状プランジャ本体および流体保持キャビティ３０、２８の少なくとも一方に移動させる。一方で（環状キャップの底部の形状によってもたらされる）プランジャ端部、また他方でバイアルの環状凹部の結合環状形状は、バイアルの底部における無効容積（Ｄｅａｄ  ｖｏｌｕｍｅ）を最小化する手段を提供し、整形突起１４および対応する整形凹部６６は、フィルタ７０を介して流体をプランジャ１８の本体へ向けて移動させ、バイアル底部１２のチャネル１５および突起１４の側面は、流体のうちの捕らえられたわずかな部分がチャネルおよびフィルタ７０を通り突起１４に衝突することを可能にする。図１〜５に示す実施形態において、環状空間は円形であるが、突起１４および凹部６６の結合形状は円形でなくてもよいため、環状空間は円柱状である必要はなく、また、バイアル側壁１６およびプランジャ１８の形状は円柱状である必要はなく、円または楕円などの連続湾曲を備えた形状、或いは三角形、四角形または多角形を含む直線状側面を備えた形状を含み、任意の管状形状であってよい。従って、本明細書で使用される「環状」という用語は、同心円を有する形状または容積に限定されるものではなく、円以外の形状を含む。例えば、図７及び８は、円柱状バイアル１０の中ではあるが、三角形および四角形の断面形状を備えた突起１４をそれぞれ示しており、一方、図９及び１０は、三角形および四角形の断面形状を備え、同じ数の側面を有するバイアル１０に入れられた突起をそれぞれ示す。これらの突起１４を囲むと共にバイアル側壁１６によって囲まれた空間も、本明細書において「環状」の空間と称される。本明細書で用いられる空間は、バイアル側壁１６が図９及び１０のように断面が非円形であり、また例えば、円または楕円、或いは好適には任意で丸みが付けられた角部によって接合される３個、４個またはそれより多くの側面を含む直線状側面を有する形状など、連続した曲線で示される断面形状を有する場合に環状であるとされる。図７〜１０に示すように、キャップ５０の整形キャビティ６６は、滑り嵌めを形成するために、突起の形状と一致する。突起１４が複数の側面を有する形態では、角部は好適には丸みが付けられるが、図示するように尖っていてもよく、整形キャビティ６６の角部は好適には、滑り嵌めを形成するために、突起の角部に一致している。
【００４９】
また、バイアル雄突起１４およびキャップ内側面５４の外方傾斜面は、プランジャ１８と協働して、キャップ５０の側壁５２および底部５７をバイアルの側壁１６および底部１２の各々に押し付けて変形させる手段として作用し、プランジャがバイアル底部１２へ向けて移動するにつれて、プランジャアセンブリ６９およびバイアル側壁１６および底部１２の間に保持される流体を減少させる。バイアル側壁、プランジャフランジ４２および隆起キャップ側壁５２の間の一次シールは、プランジャ１８が一次シールをバイアル底部１２へ向けて押すにつれて、バイアル１０内の流体をバイアル底部１２へ向けて下方に押す締り嵌めであり、捕らえられた流体は、環状キャップ５０、チャネル１５および突起１４の結合面によって、フィルタ７０を通過するように移動される。環状キャップ５０の底部５７および内側壁５４が、バイアル底部１２および突起１４に対して滑り嵌めを形成するように接近すると、残りの流体はチャネル１５およびフィルタ７０を通り、プランジャキャビティ即ちキャビティ２８，３０に押し入れられる。
【００５０】
好適には、突起１４および内側壁５４の両方が、軸線２７から外方へ傾斜する下部を有する必要があり得る。しかし好適ではあるが、突起１４および環状キャップ５０の結合側壁５４の外方傾斜が、キャップの外側壁５２を、バイアル側壁１６に対して外方へ向けて且つバイアルの角部へ向けて変形させることを促進し、それによりバイアルの側壁１６は底部１２に連結され、残りの流体を浅いチャネル１５およびフィルタ１７を通るように移動させる。
【００５１】
プランジャ１８およびキャップ５０の下方への移動は、バイアル底部１２に当接するキャップ底部５７によって制限される。プランジャアセンブリ６９上のキャップ底部５７が突起１４の上部へ到達した時に、或いはその直前に、プランジャの上側フランジ２６は壁１６に当接し、有利には、更なる液密シールを形成する。上側フランジ２６は、プランジャ１８上に配置されており、プランジャアセンブリ６９上のキャップ底部５７が突起１４の上部に近接する時に、側壁１６に係合する。また、フランジ２６の直径は、適切なシールを形成するように、壁１６の直径に応じて選択される。上側フランジおよびバイアル側壁１６の係合により、プランジャ１８がバイアルに押し入れられる時に、プランジャ１８は安定すると共に、キャップ５７の底部はバイアル底部１２に整合する。任意の充填ライン８４が、フィルタバイアル１０の外面に設けられ、バイアルで使用するための好適な流体の高さを指示するようにしてもよい。所望であれば、「充填ライン」のような印刷表示８６が充填ライン８４の近くに設けられて、ラインの目的をより明確に特定するようにしてもよい。
【００５２】
従って、有利には環状キャップ５０には内側壁５４および外側壁５２がそれぞれ設けられる。内側壁は好適には、側壁の底部において、外方に傾斜或いは湾曲する。環状キャップ５０は好適には、弾性材料、好適には圧縮不可能な材料から成形される。環状キャップ５０および傾斜側面は、バイアル１０の底部１２において外方傾斜壁を有する突起１４と協働して、流体を側壁から離間させ、且つバイアル底部１２へ向けて押しつけるために、環状キャップ５０の外側壁５２をバイアル側壁１６へ向けて押し、それにより、流体はキャップの内側壁５４を越え、貫通フィルタ１７を通り、管状プランジャ１８のキャビティ３０および２８の少なくともいずれか一方まで上方へ押される。
【００５３】
プランジャ１８、環状キャップ５０およびバイアル１０は好適には、適当なプラスチック、好適にはバイアル１０内に入れられた試料を汚染させることがない材料から成形される。流体試料は一般的な化学的または生物学的試料であるが、分離可能な任意の流体が使用されてよい。バイアルおよび環状キャップは好適には、ポリオレフィン、好適にはポリプロピレン、またはバイアル１０によって分離させられる対象流体と反応しない他の適当な重合体から製造される。プランジャ１８は有利には、キャップ５０よりも堅い材料或いは厚い材料から製造されるため、プランジャ１８がキャップ５０に押し入れられ、更にキャップ５０がバイアル底部１２および突起１４に衝突して変形することを可能にするために十分に硬い。硬さは、異なる材料を用いることによって実現されてもよく、またフランジ４０およびリブ５８によって形成されたシール面を用いる位置に、より厚い側壁を設けたりして、プランジャをより硬く構成することによって実現されてもよい。
【００５４】
また有利には、フィルタバイアルを使用する流体試料の濾過方法が提供される。キャップ内側壁５４が、内側壁によって画定されるキャビティを、管状プランジャ１８の内部流体保持キャビティ２８、３０に流体連通させるように配置し、かつキャップ内側壁が、プランジャ１８の端部におけるプランジャ凹部３２の上壁３４に接触した状態で、フィルタ７０を挟持するように、環状キャップ５０は、管状プランジャ１８の端部に嵌合される。有利には、環状キャップ５０をプランジャ１８の端部に配置する工程はまた、キャップをプランジャ上の鈎状部即ちプランジャフランジ４２の上にスナップ嵌合させて、キャップを取り外し可能にプランジャに固定する工程を含む。キャップ５０は、プランジャの端部に環状整形突起を形成し、環状キャップの内側壁５４によって形成される整形キャビティ６６を覆うフィルタを保持する。流体はバイアル１０内に、好適には、キャップがプランジャ上に配置される前後に、充填ライン８４によって示される高さまで入れられる。次にプランジャ底部およびキャップは、バイアル開口８０に挿入されると共に、バイアル底部１２へ向けて押され（或いはその逆）、プランジャフランジ４２およびキャップ５０上のフランジ５８の少なくとも一方によって形成される外側キャップ壁５２の隆起は、バイアル壁部１６と共に液密シールを形成する。また、バイアル底部１２へ向かうプランジャアセンブリ６９の相対移動は、流体を環状キャップ５０の整形キャビティ６６およびフィルタ７０を介して、プランジャの内部キャビティ２８，３０の一方または両方へ向けて移動させる。プランジャアセンブリ６９の下端５７が突起１４を通過すると、プランジャアセンブリの環状端部はバイアル１０の環状底部へ進入し、結合形状により流体は上方へ、中央突起１４を通過し、整形キャビティ６６およびフィルタ７０を介して、管状プランジャ１８の本体のキャビティ２８および３０の少なくとも一方へ移動させられる。本工程は、好適には環状キャップをプランジャ下端に配置する前に、また好適には、流体をプランジャ１８内の流体保持キャビティ２８，３０のいずれかへ向けて移動させる前に、キャップを管状プランジャ１８の上端に配置する工程を含んでよい。
【００５５】
上記の装置および方法は、従来のフィルタバイアルよりもかなり多くの流体試料を、フィルタ７０を通過させ得る。少量の流体試料が使用される時には、濾過される容量の改善が特に著しい。フィルタバイアル１０は特に、約１０マイクロリットルの流体試料に適当であり得るが、最大の試料回収が重要であるより多量の試料と共に使用されてもよい。従って、充填ライン８４は好適には、充填ラインおよび底部１２の間において、約１０マイクロリットルを含むように配置される。本方法および装置は、流体試料が１０マイクロリットルよりも少ない時、例えば１から１０マイクロリットルの試料が１マイクロリットルずつ増加する時に、いっそう便利である。バイアル１０の操作容量は好適には約１０マイクロリットル以下であるが、バイアルの合計容量は約３０マイクロリットル、或いはそれより僅かに多くてよい。内径が約８ｍｍ（３分の１インチ）、長さが約２５ｍｍ（１インチ）であり、壁の厚みが約１ｍｍ（１０００分の４０インチ）のバイアル１０が適当であり得る。プランジャおよびバイアルは特に少量の流体試料に適切であるが、本構成はより大きな部品にも適用可能である。バイアル、プランジャ、環状キャップ、およびフィルタによって濾過される流体の費用が高額であり得るため、少量の流体であっても重要であり費用がかかる。従って、本開示は、数マイクロリットルで測定される流体試料に限定されず、ミリリットル或いはそれより多くの試料を入れてもよい。
【００５６】
プランジャ１８は好適には、環状キャップ５０と同等或いはそれよりも強度があり、硬い材料から作られる。傾斜部が設けられた内部流体保持キャビティ３０によって形成されるプランジャ１８の端部は厚みがあるため、より強度が高い端部となる。しかし、流体保持キャビティ３０は傾斜部を有する必要はなく、プランジャ上部の流体保持キャビティ２８と同じ直径を有してもよい。流体保持キャビティ３０はまた、１つ以上の段を備え、端部２０に接近するにつれてキャビティ２８の直径が減少する段付きの内部形状を備えてもよい。キャビティ２８の形状にかかわらず、キャビティによって、溝４０および少なくとも部分的に溝に嵌合するフランジ５８において、プランジャ１８により厚い壁を備えることが好ましい。プランジャ壁をより厚くすることにより、フランジ５８，４２により形成されるシールをキャップ５０およびバイアル１０の側壁１６に密接させるように付勢するために、プランジャ壁が補強される。好適には、プランジャ１６は環状キャップ５０と同じ材料から製造されるが、キャップの外側壁５２は、プランジャフランジ４２を越えて溝４０まで柔軟に延出するために十分に薄く製造される。
【００５７】
上記の説明は一例を示すものであり、限定的なものではない。当業者であれば、上記の開示に基づき、本明細書に開示される本発明の権利範囲および精神に含まれる変形例、例えばフランジ４５，５８、突起１４、整形キャビティ６６の形状の様々な例を想到することができる。例えば、図面に示すように、突起１４および整形キャビティ６６は、図１、５に示す好適な切頭円錐形状以外の様々な結合形状を有してよく、例えば楕円形状および複数側面形状を限定することなく含む。図面は、３つの側面および４つの側面をそれぞれ有する突起１４および対応形状のキャビティ６６を示す。平坦な側面の突起１４が使用される場合、突起およびキャップの結合キャビティ６６の角部は、好適には任意で丸みが付けられてよく、湾曲角部は部品の製作がより容易であり得る。また、本明細書に開示される実施形態の様々な特徴が単独で、或いは互いに異なる組み合わせで使用されてよく、本明細書に記載される特定の組み合わせに限定されるものではない。従って、請求の範囲は、例示的実施形態に限定されるものではない。
【図１Ａ】
2018047457.tif 000003
【図１Ｂ】
2018047457.tif 000004
【図１Ｃ】
2018047457.tif 000005
【図２Ａ】
2018047457.tif 000006
【図２Ｂ】
2018047457.tif 000007
【図２Ｃ】
2018047457.tif 000008
【図３Ａ】
2018047457.tif 000009
【図３Ｂ】
2018047457.tif 000010
【図３Ｃ】
2018047457.tif 000011
【図４Ａ】
2018047457.tif 000012
【図４Ｂ】
2018047457.tif 000013
【図４Ｃ】
2018047457.tif 000014
【図５Ａ】
2018047457.tif 000015
【図５Ｂ】
2018047457.tif 000016
【図５Ｃ】
2018047457.tif 000017
【図６Ａ】
2018047457.tif 000018
【図６Ｂ】
2018047457.tif 000019
【図７Ａ】
2018047457.tif 000020
【図７Ｂ】
2018047457.tif 000021
【図８Ａ】
2018047457.tif 000022
【図８Ｂ】
2018047457.tif 000023
【図９Ａ】
2018047457.tif 000024
【図９Ｂ】
2018047457.tif 000025
【図１０Ａ】
2018047457.tif 000026
【図１０Ｂ】
2018047457.tif 000027
【図１１】
2018047457.tif 000028
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
流体を濾過する管状のプランジャアセンブリであって、
管状のプランジャであって、該プランジャは、少なくとも１個の開放された底部を有し、前記プランジャ内には、流体保持キャビティが設けられ、前記プランジャは、内側環状面および外側環状面を備えた下端を有し、前記内側環状面および前記外側環状面は、前記プランジャの長手軸線を取り囲むとともに、長手軸線に対して直交し、前記プランジャの下端にプランジャ凹部を画定するように、長手軸線を取り囲むとともに、長手軸線に対向する凹部側壁によって長手軸線に沿って所定距離だけ離間し、前記内側環状面は、前記プランジャ凹部への開口を取り囲み画定し、前記開口は、前記プランジャの流体保持キャビティに流体連通する前記プランジャと、
環状のキャップ底部を有する環状のキャップであって、該キャップ底部から内側壁および外側壁が延出し、前記キャップは、前記プランジャの下端を覆うように嵌合し、前記外側壁は、前記プランジャの下端の外面を覆うように嵌合し、前記内側壁および前記外側壁は、前記内側壁および前記外側壁の間に、前記外側環状面を受け入れ、前記内側壁は、前記プランジャ凹部の側壁に当接する外面を有し、前記内側壁の内面は、前記開口と前記プランジャ凹部とを流体連通させる整形キャビティを画定し、前記内側壁は上端を有する前記キャップと、
前記内側壁の上端および前記内側環状面の間に配置されるフィルタとを備えるプランジャアセンブリ。
【請求項２】
前記キャップの外側壁の外面の一部は、前記プランジャアセンブリの使用の間に、前記キャップがフィルタバイアルに挿入された時に、前記キャップの底部或いは該底部の近傍で、前記フィルタバイアルに接触して液密シールをもたらす第１シール面を形成するために十分な距離だけ外方に延出する請求項１に記載の管状のプランジャアセンブリ。
【請求項３】
前記第１シール面は、前記プランジャの端部のフランジによって、前記キャップの側壁の一部を外方へ押すように形成される請求項２に記載の管状のプランジャアセンブリ。
【請求項４】
前記フィルタおよび第１環状面の間に配置されるフリット又は支持体を更に含む請求項２に記載の管状のプランジャアセンブリ。
【請求項５】
前記長手軸線に沿って対向し、かつ長手軸線を取り囲むと共に、第１環状面および第２環状面の少なくとも一方に形成されるシール面を更に含む請求項２に記載の管状のプランジャアセンブリ。
【請求項６】
前記凹部側壁は凸状湾曲形状を有し、前記キャップの内側壁の外面は、結合凹形状を有する請求項２に記載の管状のプランジャアセンブリ。
【請求項７】
前記整形キャビティは切頭円錐形状である請求項２に記載の管状のプランジャアセンブリ。
【請求項８】
前記プランジャは、第２環状面の位置において厚みがより大きい側壁を有する請求項２に記載の管状のプランジャアセンブリ。
【請求項９】
前記プランジャの上端において液密シールを解放可能に形成するように構成される取り外し可能なクロージャを更に含む請求項２に記載の管状のプランジャアセンブリ。
【請求項１０】
前記プランジャは、前記長手軸線に対して直交し、連続湾曲の一つであり、或いは少なくとも３つの側面を備えた断面を有する請求項２に記載の管状のプランジャアセンブリ。
【請求項１１】
突起は、前記長手軸線に対して直交し、連続湾曲の一つであり、或いは少なくとも３つの側面を備えた断面を有する請求項２に記載の管状のプランジャアセンブリ。
【請求項１２】
請求項２に記載のプランジャアセンブリと、
開放された上部および閉鎖された底部を有するフィルタバイアルであって、前記底部の中心に突起を備え、該突起は、長手軸線に沿って測定される前記キャップの内側壁の高さと同じ距離だけ上部へ向けて延出し、前記突起は前記キャップにおいて、前記整形キャビティの形状に適合し、前記第１シール面との間に液密シールを形成するように、前記プランジャの底部において、前記キャップの外側壁の少なくとも一部の外径より小さい内径を有する前記フィルタバイアルとを備えるフィルタバイアルキット。
【請求項１３】
前記フィルタバイアルは取り外し可能なキャップを有し、３０マイクロリットル未満の容積を有する請求項１２に記載のフィルタバイアルキット。
【請求項１４】
前記フィルタバイアルの内側底部および突起は、前記キャップの底部および整形凹部の外形に適合するように構成される請求項１２に記載のフィルタバイアルキット。
【請求項１５】
前記フィルタバイアルの底部は、内部に形成される浅いチャネルを有し、該チャネルは前記突起の表面の浅いチャネルに流体連通し、該チャネルは、使用時に、流体を前記突起の上部へ移動させるように配向される請求項１４に記載のフィルタバイアルキット。
【請求項１６】
前記プランジャは、前記長手軸線に対して直交する断面において、連続した曲線からなり、或いは少なくとも３つの側面を備える請求項１２に記載のフィルタバイアルキット。
【請求項１７】
前記突起は、前記長手軸線に対して直交する断面において、連続した曲線からなり、或いは少なくとも３つの側面を備える請求項１２に記載のフィルタバイアルキット。
【請求項１８】
前記フィルタバイアル、プランジャ、およびキャップは円柱状の側壁を有する請求項１５に記載のフィルタバイアルキット。
【請求項１９】
前記フィルタバイアルの底部は、前記突起の表面の浅いチャネルに流体連通する浅いチャネルを有することにより、前記キャップが前記バイアルの底部およびその突起と滑り嵌めされた時に、流体は前記チャネルを通り前記フィルタへ向けて押される請求項１８に記載のフィルタバイアルキット。
【請求項２０】
前記キャップの内側壁は、前記フィルタを所定位置に保持するために、前記プランジャの一部に接触するように前記フィルタを押す請求項１８に記載のフィルタバイアルキット。
【請求項２１】
前記整形キャビティは切頭円錐形状であり、前記突起は適合する切頭円錐形状を有し、流体を前記突起の上部へ移動させるために、前記突起の表面に浅いチャネルを備える請求項１８に記載のフィルタバイアルキット。
【請求項２２】
前記プランジャおよびフィルタバイアルは、前記長手軸線に対して直交する断面を有し、該断面は連続した曲線からなり、或いは少なくとも３つの側面を備える請求項１８に記載のフィルタバイアルキット。
【請求項２３】
前記突起は、前記長手軸線に対して直交する断面を有し、該断面は連続した曲線からなり、或いは少なくとも３つの側面を備える請求項１８に記載のフィルタバイアルキット。